(57)【要約】  実施形態に係る基地局は、複数のオペレータ及び／又は複数の通信システムが共用する特定周波数帯において、データ又は制御信号を含むバースト信号と、参照信号及び／又は同期信号を含むディスカバリー参照信号と、を送信する処理を行う制御部を備える。前記制御部は、前記バースト信号の送信を開始した後、前記バースト信号の送信期間内に前記ディスカバリー参照信号の送信期間が存在する場合、前記バースト信号の送信期間内であっても前記ディスカバリー参照信号を送信する処理を行う。
2017051858.tif 000002
【特許請求の範囲】
【請求項１】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信を開始した後、前記バースト信号の送信期間内に前記ディスカバリー参照信号の送信期間が存在する場合、前記バースト信号の送信期間内であっても前記ディスカバリー参照信号を送信する処理を行う基地局。
【請求項２】
前記制御部は、前記バースト信号の送信期間内に前記ディスカバリー参照信号が含まれることを示す情報を、前記バースト信号の送信先の無線端末に送信する処理を行う請求項１に記載の基地局。
【請求項３】
前記制御部は、前記バースト信号の送信期間内で前記ディスカバリー参照信号を送信する場合、前記ディスカバリー参照信号の送信期間内の無線リソースのうち前記ディスカバリー参照信号が配置されない空きリソースに、前記バースト信号を配置する請求項１に記載の基地局。
【請求項４】
前記特定周波数帯は、前記特定周波数帯を用いて無線信号を送信する前に前記特定周波数帯が空きであるか否かの判定処理を行うよう義務付けられた周波数帯であり、
前記制御部は、前記バースト信号の送信期間内で前記ディスカバリー参照信号を送信する場合、前記ディスカバリー参照信号を送信するための前記判定処理を省略する請求項１に記載の基地局。
【請求項５】
前記制御部は、前記ディスカバリー参照信号に含まれる前記参照信号が復調用参照信号として機能するように、前記バースト信号及び前記ディスカバリー参照信号を同一のアンテナポートを用いて送信する処理を行う請求項１に記載の基地局。
【請求項６】
前記制御部は、
前記バースト信号の送信よりも前記ディスカバリー参照信号の送信を優先するか否かを優先度情報に基づいて判断し、
前記ディスカバリー参照信号の送信よりも前記バースト信号の送信を優先すると判断した場合、前記ディスカバリー参照信号の送信を中止する請求項１に記載の基地局。
【請求項７】
ライセンスドバンド及びアンライセンスドバンドにおいて無線端末との通信を実行可能な基地局であって、
前記無線端末に対して、前記ライセンスドバンドにおいて、物理下りリンク共有チャネル（PDSCH）と、参照信号及び同期信号を含むディスカバリー信号と、を送信する制御部を備え、
前記制御部は、前記PDSCHの送信と、前記ディスカバリー信号の送信と、を同時に行う基地局。
【請求項８】
ライセンスドバンド及びアンライセンスドバンドにおいて無線端末との通信を実行可能な基地局であって、
前記無線端末に対して、前記ライセンスドバンドにおいて、物理下りリンク共有チャネル（PDSCH）と、同期信号を含むディスカバリー信号と、を送信する制御部を備え、
前記制御部は、前記PDSCHの送信と、前記ディスカバリー信号の送信と、を同時に行う基地局。
【請求項９】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信開始タイミングと前記ディスカバリー参照信号の送信開始タイミングとが衝突した場合、前記ディスカバリー参照信号の送信を優先し、前記ディスカバリー参照信号の送信が終了した後に前記バースト信号の送信を開始する基地局。
【請求項１０】
前記制御部は、前記バースト信号の送信開始を示す所定信号を、前記ディスカバリー参照信号の送信期間内で送信する請求項９に記載の基地局。
【請求項１１】
前記制御部は、前記ディスカバリー参照信号に含まれる前記同期信号を前記所定信号として用いる請求項１０に記載の基地局。
【請求項１２】
前記ディスカバリー参照信号の送信が終了してから前記バースト信号の送信を開始するまでの間に空き時間が存在する場合、前記制御部は、前記特定周波数帯のリソースを占有するための予約信号を前記空き時間内で送信する処理を行う請求項９に記載の基地局。
【請求項１３】
前記制御部は、前記ディスカバリー参照信号の送信を開始してから前記バースト信号の送信を終了するまでの時間が最大バースト送信期間を超えないように、前記バースト信号の送信終了タイミングを決定する請求項９に記載の基地局。
【請求項１４】
前記制御部は、前記ディスカバリー参照信号に含まれる前記参照信号が復調用参照信号として機能するように、前記バースト信号及び前記ディスカバリー参照信号を同一のアンテナポートを用いて送信する処理を行う請求項９に記載の基地局。
【請求項１５】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信開始タイミングと前記ディスカバリー参照信号の送信開始タイミングとが衝突した場合、前記バースト信号の送信及び前記ディスカバリー参照信号の送信のどちらを優先するかを優先度情報に基づいて判断する基地局。
【請求項１６】
前記制御部は、前記バースト信号の送信よりも前記ディスカバリー参照信号の送信を優先すると判断した場合、前記ディスカバリー参照信号のみを送信する処理を行う請求項１５に記載の基地局。
【請求項１７】
前記制御部は、前記ディスカバリー参照信号の送信よりも前記バースト信号の送信を優先すると判断した場合、前記バースト信号のみを送信する処理を行う請求項１５に記載の基地局。
【請求項１８】
前記優先度情報は、前記ディスカバリー参照信号の送信頻度に基づく情報である請求項１５に記載の基地局。
【請求項１９】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信開始タイミングと前記ディスカバリー参照信号の送信開始タイミングとが衝突した場合、前記ディスカバリー参照信号の送信期間内の無線リソースのうち前記ディスカバリー参照信号が配置されない空きリソースに、前記バースト信号を配置する基地局。
【請求項２０】
前記制御部は、前記空きリソースに前記バースト信号が配置されていることを示す情報を、前記ディスカバリー参照信号の送信期間内で送信する請求項１９に記載の基地局。
【請求項２１】
前記制御部は、前記空きリソースに前記バースト信号が配置されていることを示す情報を、前記ディスカバリー参照信号の送信期間外で送信する請求項１９に記載の基地局。
【請求項２２】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信期間が最大バースト送信期間に達する際に前記ディスカバリー参照信号の送信期間が存在する場合、前記バースト信号の送信期間内の最終部分で前記ディスカバリー参照信号を送信する処理を行う基地局。
【請求項２３】
複数のオペレータ及び／又は複数の通信システムが共用する特定周波数帯において、データを含むバースト信号と、参照信号及び／又は同期信号を含むディスカバリー参照信号と、を送信する処理を行う制御部を備え、
前記制御部は、前記バースト信号の送信期間の最終部分と前記ディスカバリー参照信号の送信準備期間とが衝突した場合、前記送信準備期間を確保するように、前記最終部分における前記バースト信号の送信を停止する基地局。
【請求項２４】
前記特定周波数帯は、前記特定周波数帯を用いて無線信号を送信する前に前記特定周波数帯が空きであるか否かの判定処理を行うよう義務付けられた周波数帯であり、
前記送信準備期間は、前記ディスカバリー参照信号を送信するための前記判定処理を行う期間である請求項２３に記載の基地局。
【請求項２５】
前記制御部は、前記最終部分における前記バースト信号の送信停止を示す情報を、前記バースト信号の送信先の無線端末に送信する処理を行う請求項２３に記載の基地局。
【請求項２６】
複数のオペレータ及び／又は複数の通信システムが共用する特定周波数帯において、データを含むバースト信号と、参照信号及び／又は同期信号を含むディスカバリー参照信号と、を受信する処理を行う制御部を備え、
前記制御部は、前記ディスカバリー参照信号の送信期間内で基地局が送信する所定信号を受信した場合、前記所定信号に基づいて、前記ディスカバリー参照信号の受信が終了した後に前記バースト信号の受信を開始すると判断し、
前記所定信号は、前記バースト信号の送信開始を示す信号である無線端末。
【請求項２７】
複数のオペレータ及び／又は複数の通信システムが共用する特定周波数帯において、データを含むバースト信号と、参照信号及び／又は同期信号を含むディスカバリー参照信号と、を受信する処理を行う制御部を備え、
前記制御部は、前記ディスカバリー参照信号の送信期間内の無線リソースのうち前記ディスカバリー参照信号が配置されない空きリソースに前記バースト信号が配置されていることを示す情報を基地局から受信した場合、当該情報に基づいて、前記空きリソースに前記バースト信号が配置されていると判断する無線端末。
【請求項２８】
複数のオペレータ及び／又は複数の通信システムが共用する特定周波数帯において、データを含むバースト信号と、参照信号及び／又は同期信号を含むディスカバリー参照信号と、を受信する処理を行う制御部を備え、
前記制御部は、前記バースト信号の送信開始後における前記バースト信号の送信期間内に前記ディスカバリー参照信号が含まれることを示す情報を基地局から受信した場合、当該情報に基づいて、前記バースト信号の送信期間内に前記ディスカバリー参照信号が含まれていると判断する無線端末。
【発明の詳細な説明】
【技術分野】
【０００１】
本発明は、移動通信システムにおいて用いられる基地局及び無線端末に関する。
【背景技術】
【０００２】
近年、移動通信システムにおいて、急増するトラフィック需要に応えるべく、複数のオペレータ及び／又は複数の通信システムが共用する特定周波数帯を無線通信に用いるための検討がなされている。特定周波数帯は、例えば、免許が不要な周波数帯（アンライセンスドバンド）である。
【発明の概要】
【０００３】
一つの実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信を開始した後、前記バースト信号の送信期間内に前記ディスカバリー参照信号の送信期間が存在する場合、前記バースト信号の送信期間内であっても前記ディスカバリー参照信号を送信する処理を行う。
【０００４】
一つの実施形態に係る基地局は、ライセンスドバンド及びアンライセンスドバンドにおいて無線端末との通信をサポートする基地局である。前記基地局は、前記アンライセンスドバンドにおいて、記無線端末に対して、物理下りリンク共有チャネル（PDSCH）と、参照信号及び同期信号を含むディスカバリー信号と、を送信する制御部を備える。前記制御部は、前記PDSCHの送信と、前記ディスカバリー信号の送信と、を同時に行う。
【０００５】
一つの実施形態に係る基地局は、ライセンスドバンド及びアンライセンスドバンドにおいて無線端末との通信をサポートする基地局である。前記基地局は、前記アンライセンスドバンドにおいて、前記無線端末に対して、物理下りリンク共有チャネル（PDSCH）と、同期信号を含むディスカバリー信号と、を送信する制御部を備える。前記制御部は、前記PDSCH送信と、前記ディスカバリー信号の送信と、を同時に行う。
【図面の簡単な説明】
【０００６】
【図１】ＬＴＥシステムの構成を示す図である。
【図２】ＬＴＥシステムにおける無線インターフェイスのプロトコルスタック図である。
【図３】ＬＴＥシステムで使用される無線フレームの構成図である。
【図４】ＵＥのブロック図である。
【図５】ｅＮＢのブロック図である。
【図６】ＬＡＡを説明するための図である。
【図７】ＬＢＥ方式のＬＢＴの一例を示すフロー図である。
【図８】バースト信号の送信動作の一例を示す図である。
【図９】ＤＲＳの送信動作の一例を示す図である。
【図１０】実施形態に係るケース１を示す図である。
【図１１】実施形態に係るケース１−１を示す図である。
【図１２】実施形態に係るケース１−３を示す図である。
【図１３】実施形態に係るケース２を示す図である。
【図１４】実施形態に係るケース２−１を示す図である。
【図１５】実施形態に係るケース２−３を示す図である。
【図１６】実施形態に係るケース３を示す図である。
【図１７】付記に係るケース１を示す図である。
【図１８】付記に係るケース２を示す図である。
【図１９】付記に係るDRS送信とDL送信バーストとが継続的に送信されるケースを示す図である。
【発明を実施するための形態】
【０００７】
［実施形態の概要］
実施形態に係る基地局は、複数のオペレータ及び／又は複数の通信システムが共用する特定周波数帯において、データ又を含むバースト信号と、参照信号及び／又は同期信号を含むディスカバリー参照信号と、を送信する処理を行う制御部を備える。前記制御部は、前記バースト信号の送信を開始した後、前記バースト信号の送信期間内に前記ディスカバリー参照信号の送信期間が存在する場合、前記バースト信号の送信期間内であっても前記ディスカバリー参照信号を送信する処理を行う。
【０００８】
前記制御部は、前記バースト信号の送信期間内に前記ディスカバリー参照信号が含まれることを示す情報を、前記バースト信号の送信先の無線端末に送信する処理を行ってもよい。
【０００９】
前記制御部は、前記バースト信号の送信期間内で前記ディスカバリー参照信号を送信する場合、前記ディスカバリー参照信号の送信期間内の無線リソースのうち前記ディスカバリー参照信号が配置されない空きリソースに、前記バースト信号を配置してもよい。
【００１０】
前記特定周波数帯は、前記特定周波数帯を用いて無線信号を送信する前に前記特定周波数帯が空きであるか否かの判定処理を行うよう義務付けられた周波数帯であり、前記制御部は、前記バースト信号の送信期間内で前記ディスカバリー参照信号を送信する場合、前記ディスカバリー参照信号を送信するための前記判定処理を省略してもよい。
【００１１】
前記制御部は、前記ディスカバリー参照信号に含まれる前記参照信号が復調用参照信号として機能するように、前記バースト信号及び前記ディスカバリー参照信号を同一のアンテナポートを用いて送信する処理を行ってもよい。
【００１２】
前記制御部は、前記バースト信号よりも前記ディスカバリー参照信号が優先されるか否かを優先度情報に基づいて判断し、前記ディスカバリー参照信号よりも前記バースト信号が優先されると判断した場合、前記ディスカバリー参照信号の送信を中止してもよい。
【００１３】
実施形態に係る基地局は、ライセンスドバンド及びアンライセンスドバンドにおいて無線端末との通信をサポートする基地局である。前記基地局は、前記アンライセンスドバンドにおいて、記無線端末に対して、物理下りリンク共有チャネル（PDSCH）と、参照信号及び同期信号を含むディスカバリー信号と、を送信する制御部を備える。前記制御部は、前記PDSCHの送信と、前記ディスカバリー信号の送信と、を同時に行う。
【００１４】
実施形態に係る基地局は、ライセンスドバンド及びアンライセンスドバンドにおいて無線端末との通信をサポートする基地局である。前記基地局は、前記アンライセンスドバンドにおいて、前記無線端末に対して、物理下りリンク共有チャネル（PDSCH）と、同期信号を含むディスカバリー信号と、を送信する制御部を備える。前記制御部は、前記PDSCH送信と、前記ディスカバリー信号の送信と、を同時に行う。
【００１５】
実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信開始タイミングと前記ディスカバリー参照信号の送信開始タイミングとが衝突した場合、前記ディスカバリー参照信号の送信を優先し、前記ディスカバリー参照信号の送信が終了した後に前記バースト信号の送信を開始する。
【００１６】
前記制御部は、前記バースト信号の送信開始を示す所定信号を、前記ディスカバリー参照信号の送信期間内で送信してもよい。
【００１７】
前記制御部は、前記ディスカバリー参照信号に含まれる前記同期信号を前記所定信号として用いてもよい。
【００１８】
前記ディスカバリー参照信号の送信が終了してから前記バースト信号の送信を開始するまでの間に空き時間が存在する場合、前記制御部は、前記特定周波数帯のリソースを占有するための予約信号を前記空き時間内で送信する処理を行ってもよい。
【００１９】
前記制御部は、前記ディスカバリー参照信号の送信を開始してから前記バースト信号の送信を終了するまでの時間が最大バースト送信期間を超えないように、前記バースト信号の送信終了タイミングを決定してもよい。
【００２０】
前記制御部は、前記ディスカバリー参照信号に含まれる前記参照信号が復調用参照信号として機能するように、前記バースト信号及び前記ディスカバリー参照信号を同一のアンテナポートを用いて送信する処理を行ってもよい。
【００２１】
実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信開始タイミングと前記ディスカバリー参照信号の送信開始タイミングとが衝突した場合、前記バースト信号の送信及び前記ディスカバリー参照信号の送信のどちらを優先するかを優先度情報に基づいて判断する。
【００２２】
前記制御部は、前記バースト信号の送信よりも前記ディスカバリー参照信号の送信を優先すると判断した場合、前記ディスカバリー参照信号のみを送信する処理を行ってもよい。
【００２３】
前記制御部は、前記ディスカバリー参照信号の送信よりも前記バースト信号の送信を優先すると判断した場合、前記バースト信号のみを送信する処理を行ってもよい。
【００２４】
前記優先度情報は、前記ディスカバリー参照信号の送信頻度に基づく情報であってもよい。
【００２５】
実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信開始タイミングと前記ディスカバリー参照信号の送信開始タイミングとが衝突した場合、前記ディスカバリー参照信号の送信期間内の無線リソースのうち前記ディスカバリー参照信号が配置されない空きリソースに、前記バースト信号を配置する。
【００２６】
前記制御部は、前記空きリソースに前記バースト信号が配置されていることを示す情報を、前記ディスカバリー参照信号の送信期間内で送信してもよい。
【００２７】
前記制御部は、前記空きリソースに前記バースト信号が配置されていることを示す情報を、前記ディスカバリー参照信号の送信期間外で送信してもよい。
【００２８】
実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信期間が最大バースト送信期間に達する際に前記ディスカバリー参照信号の送信期間が存在する場合、前記バースト信号の送信期間内の最終部分で前記ディスカバリー参照信号を送信する処理を行う。
【００２９】
実施形態に係る基地局は、複数のオペレータ及び／又は複数の通信システムが共用する特定周波数帯において、データを含むバースト信号と、参照信号及び／又は同期信号を含むディスカバリー参照信号と、を送信する処理を行う制御部を備える。前記制御部は、前記バースト信号の送信期間の最終部分と前記ディスカバリー参照信号の送信準備期間とが衝突した場合、前記送信準備期間を確保するように、前記最終部分における前記バースト信号の送信を停止する。
【００３０】
前記特定周波数帯は、前記特定周波数帯を用いて無線信号を送信する前に前記特定周波数帯が空きであるか否かの判定処理を行うよう義務付けられた周波数帯であり、前記送信準備期間は、前記ディスカバリー参照信号を送信するための前記判定処理を行う期間であってもよい。
【００３１】
前記制御部は、前記最終部分における前記バースト信号の送信停止を示す情報を、前記バースト信号の送信先の無線端末に送信する処理を行ってもよい。
【００３２】
実施形態に係る無線端末は、複数のオペレータ及び／又は複数の通信システムが共用する特定周波数帯において、データを含むバースト信号と、参照信号及び／又は同期信号を含むディスカバリー参照信号と、を受信する処理を行う制御部を備える。前記制御部は、前記ディスカバリー参照信号の送信期間内で基地局が送信する所定信号を受信した場合、前記所定信号に基づいて、前記ディスカバリー参照信号の受信が終了した後に前記バースト信号の受信を開始すると判断する。前記所定信号は、前記バースト信号の送信開始を示す信号である。
【００３３】
実施形態に係る無線端末は、複数のオペレータ及び／又は複数の通信システムが共用する特定周波数帯において、データを含むバースト信号と、参照信号及び／又は同期信号を含むディスカバリー参照信号と、を受信する処理を行う制御部を備える。前記制御部は、前記ディスカバリー参照信号の送信期間内の無線リソースのうち前記ディスカバリー参照信号が配置されない空きリソースに前記バースト信号が配置されていることを示す情報を基地局から受信した場合、当該情報に基づいて、前記空きリソースに前記バースト信号が配置されていると判断する。
【００３４】
実施形態に係る無線端末は、複数のオペレータ及び／又は複数の通信システムが共用する特定周波数帯において、データを含むバースト信号と、参照信号及び／又は同期信号を含むディスカバリー参照信号と、を受信する処理を行う制御部を備える。前記制御部は、前記バースト信号の送信開始後における前記バースト信号の送信期間内に前記ディスカバリー参照信号が含まれることを示す情報を基地局から受信した場合、当該情報に基づいて、前記バースト信号の送信期間内に前記ディスカバリー参照信号が含まれていると判断する。
【００３５】
［実施形態］
以下において、実施形態に係る移動通信システムについて説明する。実施形態に係る移動通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）システムである。
【００３６】
（ＬＴＥシステム）
先ず、ＬＴＥシステムのシステム構成について説明する。図１は、ＬＴＥシステムの構成を示す図である。
【００３７】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３８】
ＵＥ１００は、無線端末に相当する。ＵＥ１００は、移動型の通信装置であり、セル（サービングセル）との無線通信を行う。ＵＥ１００の構成については後述する。
【００３９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００４０】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００４１】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００４２】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４４】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４６】
ＰＤＣＰ層は、ヘッダ圧縮・伸張、及び暗号化・復号化を行う。
【００４７】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４８】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４９】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５０】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５１】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００５２】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。また、各サブフレームには、サウンディング参照信号（ＳＲＳ）などの上りリンク参照信号が配置される。
【００５３】
（無線端末の構成）
以下において、ＵＥ１００（無線端末）の構成について説明する。図４は、ＵＥ１００のブロック図である。図４に示すように、ＵＥ１００は、受信部１１０、送信部１２０、及び制御部１３０を備える。
【００５４】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【００５５】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【００５６】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の処理を実行する。
【００５７】
（基地局の構成）
以下において、ｅＮＢ２００（基地局）の構成について説明する。図５は、ｅＮＢ２００のブロック図である。図５に示すように、ｅＮＢ２００は、送信部２１０、受信部２２０、制御部２３０、及びバックホール通信部２４０を備える。
【００５８】
送信部２１０は、制御部２３０の制御下で各種の送信を行う。送信部２１０は、アンテナ及び送信機を含む。送信機は、制御部１３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００５９】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００６０】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００６１】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００６２】
（ＬＡＡ）
以下において、ＬＡＡ（Ｌｉｃｅｎｓｅｄ−Ａｓｓｉｓｔｅｄ  Ａｃｃｅｓｓ）について説明する。実施形態に係るｅＮＢ２００は、複数のオペレータ及び／又は複数の通信システムが共用する特定周波数帯においてＵＥ１００との無線通信を行う。実施形態において、特定周波数帯は、アンライセンスドバンドである。
【００６３】
実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりＵＥ１００がアンライセンスドバンドにアクセス可能とする。このような仕組みは、ＬＡＡと称される。
【００６４】
図６は、ＬＡＡを説明するための図である。図６に示すように、ｅＮＢ２００は、ライセンスドバンドで運用されるセル＃１と、アンライセンスドバンドで運用されるセル＃２と、を管理している。図６において、セル＃１がマクロセルであり、セル＃２が小セルである一例を図示しているが、セルサイズはこれに限定されない。
【００６５】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【００６６】
図６の例では、ＵＥ１００は、上りリンク通信及び下りリンク通信をセル＃１と行い、下りリンク通信をセル＃２と行う。このようなキャリアアグリゲーションにより、ＵＥ１００には、ライセンスドバンドの無線リソースに加えて、アンライセンスドバンドの無線リソースが提供されるため、下りリンクのスループットを向上させることができる。
【００６７】
アンライセンスドバンドにおいては、ＬＴＥシステムとは異なる通信システム（無線ＬＡＮ等）又は他のオペレータのＬＴＥシステムとの干渉を回避するために、ｌｉｓｔｅｎ−ｂｅｆｏｒｅ−ｔａｌｋ（ＬＢＴ）と称される判定処理が要求される。ＬＢＴは、周波数チャネルが空いているか否かを受信電力に基づいて確認し、空きチャネル（ｃｌｅａｒ  ｃｈａｎｎｅｌ）であることが確認された場合に限り当該周波数チャネルを使用する処理である。
【００６８】
ｅＮＢ２００は、ＬＢＴにより、セル＃２（アンライセンスドバンド）において空きチャネルを検索し、空きチャネルに含まれる無線リソースをＵＥ１００に割り当てる（スケジューリング）。ｅＮＢ２００は、セル＃２のＰＤＣＣＨを介して、セル＃２におけるスケジューリング（すなわち、セルフスケジューリング）を行う。或いは、ｅＮＢ２００は、セル＃１のＰＤＣＣＨを介して、セル＃２におけるスケジューリング（すなわち、クロスキャリアスケジューリング）を行ってもよい。
【００６９】
（ＬＢＴ）
以下において、ＬＢＴについて説明する。ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない。
【００７０】
図７は、ＬＢＥ方式のＬＢＴの一例を示すフロー図である。
【００７１】
図７に示すように、ｅＮＢ２００は、アンライセンスドバンド内の対象チャネルを監視し、受信信号強度（干渉電力）に基づいて対象チャネルが空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ｅＮＢ２００は、検知した電力が閾値よりも大きい状態が一定期間（例えば２０μｓ以上）持続する場合、対象チャネルが使用中（Ｂｕｓｙ）であると判定する。そうでない場合、ｅＮＢ２００は、対象チャネルが空き（Ｉｄｌｅ）であると判定し、送信を開始する（ステップＳ２）。
【００７２】
ｅＮＢ２００は、このような初期ＣＣＡの結果、対象チャネルが使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ｅＮＢ２００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ｅＮＢ２００は、Ｎが０に達すると（ステップＳ４：Ｎｏ）、対象チャネルが空き（Ｉｄｌｅ）であると判定し、送信を開始する（ステップＳ２）。
【００７３】
（バースト信号）
以下において、バースト信号について説明する。ｅＮＢ２００は、ＬＢＴに成功した場合（つまり、対象チャネルが空きであると判定した場合）、データ（ＰＤＳＣＨ）を含むバースト信号を送信する。ｅＮＢ２００は、複数のサブフレームにわたって連続的にバースト信号を送信し得る。バースト信号は、データ（ＰＤＳＣＨ）に加えて、制御信号（ＰＤＣＣＨ）を含んでもよい。さらに、バースト信号は、初期信号（Ｉｎｉｔｉａｌ  Ｓｉｇｎａｌ）を含んでもよい。
【００７４】
図８は、バースト信号の送信動作の一例を示す図である。ここでは、バースト信号用のＬＢＴにＬＢＥ方式が適用される場合を想定する。
【００７５】
図８に示すように、ｅＮＢ２００は、ＬＢＴに成功した後、バースト信号の送信を開始する。図８において、ｅＮＢ２００が、サブフレーム＃ｎからサブフレーム＃ｎ＋３までの期間内でバースト信号を送信する一例を示している。
【００７６】
また、図８において、ｅＮＢ２００は、サブフレーム＃ｎの先頭シンボル区間＃１の途中でＬＢＴに成功する。この場合、ｅＮＢ２００は、予約信号（Ｒｅｓｅｒｖａｔｉｏｎ  Ｓｉｇｎａｌ）、初期信号（Ｉｎｉｔｉａｌ  Ｓｉｇｎａｌ）、制御信号（ＰＤＣＣＨ）、及びデータ（ＰＤＳＣＨ）の順に送信を行う。
【００７７】
予約信号は、ＬＢＴの最後のＣＣＡ完了がシンボル区間の途中である場合に、対象チャネルに他装置が割り込まないように、次のシンボル区間の開始時点まで対象チャネルを占有するための信号である。予約信号は、例えば初期信号のサイクリックプリフィックス（ＣＰ）として使用されてもよい。
【００７８】
初期信号は、バースト信号の送信開始をＵＥ１００に示すための信号である。図８において、初期信号は、２つのシンボル区間の時間長を有する。但し、初期信号は、１つのシンボル区間の時間長であってもよい。初期信号は、プライマリ同期信号（ＰＳＳ）及びセカンダリ同期信号（ＳＳＳ）を含んでもよい。
【００７９】
ＰＤＣＣＨは、下りリンクリソース（リソースブロック等）の割り当てを示す下りリンクスケジューリング情報を含む下りリンク制御情報（ＤＣＩ）を運搬する。ｅＮＢ２００は、ＤＣＩの送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットをＤＣＩに含める。各ＵＥ１００は、自ＵＥ宛ての可能性があるＤＣＩについて、ＰＤＣＣＨをブラインド復号（Ｂｌｉｎｄ  ｄｅｃｏｄｉｎｇ）し、自ＵＥ宛のＤＣＩを検出する。但し、クロスキャリアスケジューリングを用いる場合、バースト信号は、制御信号（ＰＤＣＣＨ）を含まなくてもよい。
【００８０】
ＰＤＳＣＨは、下りリンクスケジューリング情報が示す下りリンク無線リソース（リソースブロック）によりデータを搬送する。
【００８１】
（ディスカバリー参照信号）
以下において、ディスカバリー参照信号（ＤＲＳ）について説明する。ＤＲＳは、参照信号及び／又は同期信号を含む。１つのＵＥ１００に向けて送信されるバースト信号とは異なり、ＤＲＳは、ｅＮＢ２００のセル内の複数のＵＥ１００に共通の信号である。
【００８２】
参照信号は、セル固有参照信号（ＣＲＳ）を含む。参照信号は、チャネル状態情報参照信号（ＣＳＩ−ＲＳ）を含んでもよい。同期信号は、プライマリ同期信号（ＰＳＳ）及びセカンダリ同期信号（ＳＳＳ）を含む。
【００８３】
図９は、ＤＲＳの送信動作の一例を示す図である。
【００８４】
図９Ａに示すように、ｅＮＢ２００は、ＬＢＴに成功した場合（つまり、対象チャネルが空きであると判定した場合）、ＤＲＳを送信する。図９Ａに示す例において、ＤＲＳの送信機会（ＤＲＳ  Ｏｃｃａｓｉｏｎ）は、周期的に発生する。また、ｅＮＢ２００は、３回目のＤＲＳ送信（＃３）のＬＢＴにおいて他装置（例えば、無線ＬＡＮ  ＡＰ）の信号を検知したことにより、当該ＬＢＴに失敗し、３回目のＤＲＳ送信を中止する。ｅＮＢ２００は、それ以外のＤＲＳ送信（＃１、＃２、＃４）のＬＢＴに成功し、ＤＲＳ送信期間内でＤＲＳ送信を行う。
【００８５】
実施形態において、ｅＮＢ２００は、ＤＲＳ用のＬＢＴを、バースト信号用のＬＢＴとは独立して行う。ＤＲＳ用のＬＢＴには、ＬＢＥ方式が適用されてもよいし、ＦＢＥ方式が適用されてもよい。但し、ｅＮＢ２００は、ＤＲＳを送信中、バースト信号用のＬＢＴを停止する。
【００８６】
図９Ｂに示すように、ＤＲＳは、サブフレーム内の特定のシンボル位置に配置される。なお、ＤＲＳが配置されるサブフレーム番号は変更可能である。
【００８７】
図９Ｂに示す例において、ＤＲＳは、ＣＲＳ、ＰＳＳ、及びＳＳＳにより構成される。具体的には、ＤＲＳ送信期間は４シンボル区間分の時間長を有する。
【００８８】
ＤＲＳ送信期間の最初及び最後のシンボル区間には、ＣＲＳが配置される。ＣＲＳは、周波数方向において全周波数帯域にわたって間欠的に配置される。ＣＲＳは、ＵＥ１００が下りリンクのＲＲＭ測定等に用いる信号である。
【００８９】
ＤＲＳ送信期間の中間の２シンボル区間には、ＰＳＳ及びＳＳＳが配置される。ＰＳＳ及びＳＳＳは、ＵＥ１００がセルサーチ等に用いる信号である。ＰＳＳ及びＳＳＳは、周波数方向において中央の６リソースブロック分の周波数帯域に配置される。図９Ｃに示すように、ＰＳＳ及びＳＳＳは、周波数方向に繰り返し配置されてもよい。
【００９０】
（実施形態に係る動作）
上述したように、ｅＮＢ２００は、アンライセンスドバンドにおいて、バースト信号用のＬＢＴとＤＲＳ用のＬＢＴとを独立して行う。このため、バースト信号の送信期間とＤＲＳの送信期間とは衝突し得る。
【００９１】
具体的には、バースト信号用のＬＢＴに成功したタイミングとＤＲＳ用のＬＢＴに成功したタイミングとが同じである場合（又はバースト信号用のＬＢＴのカウンタとＤＲＳ用のＬＢＴのカウンタが同時に条件を満たした場合）、バースト信号の送信開始タイミングとＤＲＳの送信開始タイミングとが衝突する。以下において、このようなケースをケース１と称する。
【００９２】
また、バースト信号送信期間内に、ＤＲＳ送信期間（ＤＲＳ  Ｏｃｃａｓｉｏｎ）が存在し得る（または、バースト信号送信期間内に、ＤＲＳの送信開始タイミングが到達した場合、バースト信号送信期間とＤＲＳの送信期間が重複し得る）。以下において、このようなケースをケース２と称する。
【００９３】
さらに、バースト信号送信期間とＤＲＳ送信期間が衝突する場合に加えて、バースト信号送信期間とＤＲＳの送信準備期間とが衝突し得る。ＤＲＳの送信準備期間とは、ＤＲＳを送信するための判定処理（ＬＢＴ）を行う期間である。以下において、このようなケースをケース３と称する。なお、ケース３においては、ＤＲＳ送信開始タイミングは、バースト信号送信期間外である。
【００９４】
実施形態において、ｅＮＢ２００は、アンライセンスドバンドにおいて、バースト信号送信期間と、ＤＲＳ送信期間又は送信準備期間と、が衝突した場合、バースト信号よりもＤＲＳを優先的に送信するための処理を行う。これにより、アンライセンスドバンドで運用されるセルについて複数のＵＥ１００がＤＲＳを用いてセルサーチ及び／又はＲＲＭ測定等を円滑に行うことができる。
【００９５】
但し、ｅＮＢ２００は、例えば、過去の一定期間内で連続的にＤＲＳの送信に成功しているような場合（つまり、ＤＲＳの送信頻度が高い場合）、今回のＤＲＳの送信が不要であると判断し、ＤＲＳよりもバースト信号を優先的に送信してもよい。
【００９６】
（１）ケース１
以下において、ケース１について説明する。図１０は、ケース１を示す図である。
【００９７】
図１０に示すように、ケース１において、ｅＮＢ２００は、同じタイミングでバースト信号用のＬＢＴ及びＤＲＳ用のＬＢＴに成功する。この場合、バースト信号の送信開始タイミング（ＰＤＳＣＨ  ｔｉｍｉｎｇ）とＤＲＳの送信開始タイミング（ＤＲＳ  ｔｉｍｉｎｇ）とが衝突する。なお、ｅＮＢ２００は、同じタイミングでバースト信号用のＬＢＴ及びＤＲＳ用のＬＢＴに成功した場合以外でも、バースト信号の送信開始タイミングとＤＲＳの送信開始タイミングとが衝突する場合が生じ得る。
【００９８】
なお、以下の図面においてバースト信号をＰＤＳＣＨと表記するが、バースト信号は、ＰＤＳＣＨだけではなく、初期信号及び／又はＰＤＣＣＨを含み得ることに留意すべきである。
【００９９】
（１．１）ケース１−１
先ず、ケース１−１について説明する。図１１は、ケース１−１を示す図である。
【０１００】
図１１に示すように、ｅＮＢ２００は、バースト信号の送信開始タイミングとＤＲＳの送信開始タイミングとが衝突した場合、ＤＲＳの送信を優先し、ＤＲＳの送信が終了した後にバースト信号の送信を開始する。これにより、ＤＲＳを優先的に送信しつつ、バースト信号も送信可能となる。
【０１０１】
図１１に示す例において、ｅＮＢ２００は、ＤＲＳ送信期間の最後のシンボル区間の次のシンボル区間からバースト信号の送信を開始する。つまり、ｅＮＢ２００は、ＤＲＳ送信期間に連続してバースト信号送信期間を設定する。但し、ｅＮＢ２００は、ＤＲＳ送信期間とバースト信号送信期間との間に間隔を設けてもよい。
【０１０２】
また、ｅＮＢ２００は、バースト信号の送信開始を示す所定信号（初期信号）を、ＤＲＳ送信期間内で送信してもよい。これにより、ＵＥ１００は、所定信号（初期信号）に基づいてバースト信号の受信を開始することができる。
【０１０３】
ｅＮＢ２００は、ＤＲＳに含まれる同期信号（ＰＳＳ及び／又はＳＳＳ）を初期信号として用いてもよい。この場合、ｅＮＢ２００は、初期信号として用いる同期信号に対して特別な信号系列又は特別なリソース配置パターン等を適用してもよい。初期信号として用いる同期信号のシンボル区間とバースト信号の送信を開始するシンボル区間との間の間隔は、システム仕様により予め規定されていてもよい。或いは、同期信号は、当該間隔を示す情報を含んでもよい。
【０１０４】
或いは、ｅＮＢ２００は、ＤＲＳ送信期間内の無線リソース（リソースエレメント）のうちＤＲＳが配置されない空きリソースに、バースト信号の送信開始を示す所定信号を配置してもよい。空きリソースとは、例えば、ＰＳＳ及びＳＳＳの周波数方向外側のリソースエレメント（図１１の「Ｂｌａｎｋ」領域）である。或いは、空きリソースは、ＣＲＳのシンボル区間内でＣＲＳが配置されないリソースエレメントであってもよい。空きリソースに配置される所定信号は、上述した初期信号であってもよいし、判定信号であってもよい。判定信号は、ＤＲＳの送信後にバースト信号が送信されるか否かを示す２値の情報を有する信号であってもよい。判定信号は、ＤＲＳの一部として規定されてもよい。或いは、ｅＮＢ２００は、ＤＲＳの送信後にバースト信号が送信されるか否かを示す２値の情報を、ＤＲＳに含まれるＰＳＳ／ＳＳＳ／ＣＲＳの信号系列又はリソース配置パターンを用いて暗示的に送信してもよい。
【０１０５】
ＵＥ１００は、バースト信号の送信開始を示す所定信号をＤＲＳ送信期間内でｅＮＢ２００から受信した場合、所定信号に基づいて、ＤＲＳの受信が終了した後にバースト信号の受信を開始すると判断する。具体的には、ＵＥ１００は、所定信号に基づいて、バースト信号の送信開始タイミング（送信開始シンボル区間）を特定し、当該送信開始タイミングにおいてバースト信号の受信を開始する。
【０１０６】
一方、バースト信号の送信開始を示す所定信号をＤＲＳ送信期間内でｅＮＢ２００から受信しない場合、ＵＥ１００は、ＤＲＳの受信が終了した後にバースト信号の受信を開始しないと判断してもよい。或いは、ＵＥ１００は、バースト信号に含まれる初期信号をサーチする、又は、バースト信号に含まれるＰＤＣＣＨのブラインド復号を行うことにより、バースト信号の受信開始を試みてもよい。
【０１０７】
ｅＮＢ２００は、ＤＲＳの送信が終了してからバースト信号の送信を開始するまでの間に空き時間が存在する場合、特定周波数帯のリソースを占有するための予約信号を空き時間内で送信してもよい。これにより、ＤＲＳ送信期間とバースト信号送信期間との間に空き時間がある場合でも、他装置の割り込みを防止することができる。
【０１０８】
ｅＮＢ２００は、ＤＲＳの送信を開始してからバースト信号の送信を終了するまでの時間が最大バースト送信期間を超えないように、バースト信号の送信終了タイミングを決定してもよい。つまり、ｅＮＢ２００は、ＤＲＳ送信期間及びバースト信号送信期間の合計（空き時間が存在する場合、空き時間も含む合計）を最大バースト送信期間内に収める。なお、最大バースト送信期間とは、バースト信号用のＬＢＴに成功した際にバースト信号の送信を継続可能な最大の期間である。最大バースト送信期間は、システム仕様により予め規定されていてもよい。
【０１０９】
（１．２）ケース１−２
次に、ケース１−２について説明する。
【０１１０】
ケース１−２において、ｅＮＢ２００は、バースト信号の送信開始タイミングとＤＲＳの送信開始タイミングとが衝突した場合、バースト信号の送信よりもＤＲＳの送信を優先するか否かを優先度情報に基づいて判断し、バースト信号の送信よりもＤＲＳの送信を優先すると判断した場合、ＤＲＳのみを送信する。この場合、ｅＮＢ２００は、バースト信号の送信を中止する。また、ｅＮＢ２００は、バースト信号の送信開始を示す所定信号を送信しない。或いは、ｅＮＢ２００は、バースト信号の送信を開始しないことを示す判定信号を送信する。
【０１１１】
優先度情報は、ＤＲＳの送信頻度に基づく情報であってもよい。ｅＮＢ２００は、ＤＲＳの送信頻度が低い場合に限り、バースト信号の送信よりもＤＲＳの送信を優先すると判断してもよい。ＤＲＳの送信頻度が低い場合とは、ＤＲＳ用のＬＢＴの成功率が低い場合であってもよいし、ＤＲＳ及びバースト信号の衝突率が高い場合であってもよい。ＤＲＳの送信頻度に基づく情報とは、ＤＲＳが送信できなかった回数又は時間を示す情報であってもよい。
【０１１２】
ｅＮＢ２００は、ＤＲＳの送信よりもバースト信号の送信を優先すると判断した場合、バースト信号のみを送信する処理を行ってもよい。ｅＮＢ２００は、ＤＲＳの送信頻度が高い場合には、ＤＲＳの送信よりもバースト信号の送信を優先すると判断して、バースト信号のみを送信し、ＤＲＳの送信を中止する。
【０１１３】
（１．３）ケース１−３
次に、ケース１−３について説明する。図１２は、ケース１−３を示す図である。
【０１１４】
図１２に示すように、ｅＮＢ２００は、バースト信号の送信開始タイミングとＤＲＳの送信開始タイミングとが衝突した場合、ＤＲＳ送信期間内の無線リソース（リソースエレメント）のうちＤＲＳが配置されない空きリソースに、バースト信号を配置する。空きリソースとは、例えば、ＰＳＳ及びＳＳＳの周波数方向外側のリソースエレメント（図１１の「Ｂｌａｎｋ」領域）である。或いは、空きリソースは、ＣＲＳのシンボル区間内でＣＲＳが配置されないリソースエレメントであってもよい。これにより、ＤＲＳ送信期間内のリソースエレメントを効率的に利用することができる。但し、空きリソースの全てにバースト信号を配置せずに、空きリソースの一部にのみバースト信号を配置してもよい。
【０１１５】
ＵＥ１００は、ＤＲＳ送信期間内でバースト信号が送信されることを把握していない場合、バースト信号の受信を試みるために、ＤＲＳ送信期間内でバースト信号の受信動作を行ってもよい。例えば、バースト信号に含まれる初期信号をサーチする、又は、バースト信号に含まれるＰＤＣＣＨのブラインド復号を行う。ここで、バースト信号が配置され得る領域（リソースエレメント）を予め規定することにより、ＵＥ１００の受信動作に伴う負荷を削減することができる。
【０１１６】
或いは、ｅＮＢ２００は、ＤＲＳ送信期間内でバースト信号を送信する場合、その旨をＵＥ１００に通知してもよい。これにより、ＵＥ１００の受信動作に伴う負荷をより一層削減することができる。ｅＮＢ２００は、ＤＲＳ送信期間内の空きリソースにバースト信号が配置されていることを示す情報（以下、「バースト信号配置情報」と称する）を送信する。ＵＥ１００は、バースト信号配置情報をｅＮＢ２００から受信した場合、空きリソースにバースト信号が配置されていると判断する。ＵＥ１００は、空きリソースにバースト信号が配置されていると判断した場合にのみ、ＤＲＳ送信期間内でバースト信号の受信動作を行ってもよい。バースト信号配置情報は、空きリソースのうちバースト信号が配置されたリソースエレメント又はそのパターンを示す情報を含んでもよい。
【０１１７】
ｅＮＢ２００は、バースト信号配置情報をＤＲＳ送信期間内で送信してもよい。具体的には、ｅＮＢ２００は、ＰＳＳ／ＳＳＳ／ＣＲＳの信号系列又はリソース配置パターンを用いてバースト信号配置情報を暗示的に送信してもよいし、空きリソースの一部を用いてバースト信号配置情報を明示的に送信してもよい。ＵＥ１００は、ＤＲＳ送信期間内で明示的又は暗示的に送信されたバースト信号配置情報に基づいて、空き領域に配置されたバースト信号を受信及び復号する。
【０１１８】
或いは、ｅＮＢ２００は、バースト信号配置情報をＤＲＳ送信期間外で送信してもよい。例えば、ｅＮＢ２００は、ＤＲＳ送信期間の次のシンボル区間に配置された初期信号にバースト信号配置情報を含める。ＵＥ１００は、当該初期信号を受信するまで、ＤＲＳ送信期間内で受信したバースト信号をバッファリングする。ＵＥ１００は、受信した初期信号にバースト信号配置情報が含まれる場合、バースト信号配置情報に基づいて、バッファリングしていたバースト信号を復号する。一方、受信した初期信号にバースト信号配置情報が含まれない場合、バッファリングしていた内容を破棄する。
【０１１９】
（２）ケース２
以下において、ケース２について説明する。図１３は、ケース２を示す図である。
【０１２０】
図１３に示すように、ケース２において、ｅＮＢ２００は、バースト信号用のＬＢＴに成功し、そのタイミング（ＰＤＳＣＨ  ｔｉｍｉｎｇ）からバースト信号の送信を開始する。その後、バースト信号送信期間内でＤＲＳ送信期間（ＤＲＳ  ｔｉｍｉｎｇ）が発生する。
【０１２１】
（２．１）ケース２−１
先ず、ケース２−１について説明する。図１４は、ケース２−１を示す図である。
【０１２２】
図１４に示すように、ｅＮＢ２００は、バースト信号の送信を開始した後、バースト信号送信期間内にＤＲＳ送信期間が存在する場合（ＤＲＳ送信開始タイミングが到達した場合）、バースト信号送信期間内であってもＤＲＳを送信する。
【０１２３】
また、ｅＮＢ２００は、バースト信号送信期間内にＤＲＳが含まれることを示す情報（以下、「ＤＲＳ情報」と称する）を、当該バースト信号の送信先のＵＥ１００に送信する。ＤＲＳ情報は、バースト信号送信期間内のＤＲＳを含むサブフレームを示す情報を含んでもよい。
【０１２４】
セルフスケジューリングの場合、ｅＮＢ２００は、アンライセンスドバンド（ＵＥ１００のＳＣｅｌｌ）を用いてＤＲＳ情報をＵＥ１００に送信する。具体的には、ｅＮＢ２００は、初期信号、ＰＤＣＣＨ、又はＰＨＩＣＨ（Ｐｈｙｓｉｃａｌ  ＨＡＲＱ  Ｉｎｄｉｃａｔｏｒ  Ｃｈａｎｎｅｌ）によりＤＲＳ情報をＵＥ１００に送信する。ＰＤＣＣＨに代えて、ｅＰＤＣＣＨ（ｅｎｈａｎｃｅｄ  ＰＤＣＣＨ）を用いてもよい。初期信号を用いる場合、初期信号の信号系列又はリソース配置パターンを用いてＤＲＳ情報を暗示的に送信してもよい。
【０１２５】
クロスキャリアスケジューリングの場合、ｅＮＢ２００は、ライセンスドバンド（ＵＥ１００のＰＣｅｌｌ）を用いてＤＲＳ情報をＵＥ１００に送信する。具体的には、ｅＮＢ２００は、ＰＤＣＣＨ又はｅＰＤＣＣＨによりＤＲＳ情報をＵＥ１００に送信する。
【０１２６】
バースト信号を受信する対象であるＵＥ１００は、ＤＲＳ情報をｅＮＢ２００から受信した場合、バースト信号送信期間内にＤＲＳが含まれていると判断する。ＵＥ１００は、ＤＲＳ情報に基づいて、バースト信号送信期間内のＤＲＳを避けながらバースト信号の受信及び復号を行う。
【０１２７】
図１４Ａに示すように、ｅＮＢ２００は、バースト信号送信期間内でＤＲＳを送信する場合、ＤＲＳ送信期間内の無線リソース（リソースエレメント）のうちＤＲＳが配置されない空きリソース（例えば、図１４ＡのＢｌａｎｋ部分）に、バースト信号を配置しない。
【０１２８】
或いは、図１４Ｂに示すように、ｅＮＢ２００は、バースト信号送信期間内でＤＲＳを送信する場合、ＤＲＳ送信期間内の無線リソース（リソースエレメント）のうちＤＲＳが配置されない空きリソースに、バースト信号を配置する。この場合の動作は、ケース１−３の動作と同様とすることができる。
【０１２９】
ケース２−１において、ｅＮＢ２００は、バースト信号送信期間内でＤＲＳを送信する場合、ＤＲＳを送信するための判定処理（すなわち、ＤＲＳ用のＬＢＴ）を省略する。ＤＲＳをバースト信号の一部とみなすことができるため、バースト信号送信時にＬＢＴを実施しているため、ＤＲＳ用のＬＢＴが不要となるからである。
【０１３０】
また、ｅＮＢ２００は、ＤＲＳに含まれる参照信号（ＣＲＳ又はＣＳＩ−ＲＳ）が復調用参照信号として機能するように、バースト信号及びＤＲＳを同一のアンテナポートを用いて送信してもよい。但し、バースト信号及びＤＲＳの何れもプレコーディングされていないことを前提とする。このような動作は、ケース２−１以外のケースにも適用可能である。ＵＥ１００は、ＤＲＳに含まれる参照信号を用いてチャネル推定を行い、バースト信号（ＰＤＳＣＨ）を復調・復号する。
【０１３１】
（２．２）ケース２−２
次に、ケース２−２について説明する。
【０１３２】
ケース２−２において、ｅＮＢ２００は、バースト信号の送信よりもＤＲＳの送信を優先するか否かを優先度情報に基づいて判断し、ＤＲＳの送信よりもバースト信号の送信を優先すると判断した場合、ＤＲＳの送信を中止する。優先度情報については、ケース１−２と同様である。
【０１３３】
（２．３）ケース２−３
次に、ケース２−３について説明する。図１５は、ケース２−３を示す図である。
【０１３４】
図１５Ａに示すように、ｅＮＢ２００は、バースト信号送信期間及びＤＲＳ送信期間の合計が最大バースト送信期間を超えない場合、バースト信号を送信した後にＤＲＳを送信する。または、ｅＮＢ２００は、バースト信号送信期間及びＤＲＳ送信期間の合計が最大バースト送信期間を超える場合には、バースト信号送信期間内の最終部分で、バースト信号送信期間内の一部（最終部分）のバースト信号を送信せずに、ＤＲＳを送信する。
【０１３５】
または、図１５Ｂに示すように、バースト信号送信期間が最大バースト送信期間に達する際にＤＲＳ送信期間が存在する場合、バースト信号送信期間内の最終部分でＤＲＳ及びバースト信号の両方を送信する。すなわち、ｅＮＢ２００は、バースト信号送信期間及びＤＲＳ送信期間の合計が最大バースト送信期間を超える場合と判断した場合、バースト送信期間とＤＲＳの送信期間の合計が最大バースト送信期間を超えないように、バースト信号送信期間内の最終部分でＤＲＳ及びバースト信号の両方を送信する。具体的には、ｅＮＢ２００は、ＤＲＳ送信期間内の無線リソース（リソースエレメント）のうちＤＲＳが配置されない空きリソースに、バースト信号を配置する。このバースト信号は、バースト信号送信期間内で送信する予定のバースト信号の全て又は一部であってもよい。この場合の動作は、ケース２−１と同様とすることができる。
【０１３６】
或いは、ｅＮＢ２００は、バースト信号送信期間及びＤＲＳ送信期間の合計が最大バースト送信期間を超える場合と判断した場合、ＤＲＳの送信を中止し、次回のＤＲＳ送信機会においてＤＲＳの送信を試みてもよい。
【０１３７】
（３）ケース３
以下において、ケース３について説明する。図１６は、ケース３を示す図である。
【０１３８】
図１６に示すように、ケース３において、バースト信号送信期間とＤＲＳの送信準備期間とが衝突する。ＤＲＳの送信準備期間とは、ＤＲＳを送信するための判定処理（ＬＢＴ）を行う期間である。なお、ケース３では、ＤＲＳの送信開始タイミングは、バースト信号送信期間（最大バースト送信期間）外である。
【０１３９】
ｅＮＢ２００は、バースト信号送信期間の最終部分とＤＲＳ用のＬＢＴ期間とが衝突した場合、ＤＲＳ用のＬＢＴ期間を確保するように、バースト信号送信期間の最終部分におけるバースト信号の送信を停止する（すなわち、最終部分を「Ｂｌａｎｋ」にする）。これにより、ｅＮＢ２００は、Ｂｌａｎｋ期間内でＤＲＳ用のＬＢＴを行うことができる。Ｂｌａｎｋ期間は、固定長であってもよいし、可変長であってもよい。ｅＮＢ２００は、Ｂｌａｎｋ期間が可変長の場合は、ＤＲＳの送信開始タイミングの直前に実施するＬＢＴに必要な時間に応じて、Ｂｌａｎｋ期間が設定されてもよい。
【０１４０】
ＤＲＳ用のＬＢＴがＬＢＥ方式である場合、ｅＮＢ２００は、ＬＢＥに用いるカウンタの値が閾値未満である場合に限り、Ｂｌａｎｋ期間を設定してもよい。一方、ＤＲＳ用のＬＢＴがＦＢＥ方式である場合、ｅＮＢ２００は、バースト信号の送信終了予定のタイミングとＤＲＳ送信開始タイミングとの間の間隔が一定時間未満である場合に限り、Ｂｌａｎｋ期間を設定してもよい。
【０１４１】
ｅＮＢ２００は、最終部分におけるバースト信号の送信停止を示す情報（以下、「停止情報」と称する）を、当該バースト信号の送信先のＵＥ１００に送信する。停止情報は、Ｂｌａｎｋ期間を示す情報を含んでもよい。ＤＲＳ用のＬＢＴがＬＢＥ方式である場合、停止情報は、ＬＢＥに用いるカウンタの値を含んでもよい。カウンタの値が閾値未満である場合、ＵＥ１００は、Ｂｌａｎｋ期間が設定されていると判断する。
【０１４２】
セルフスケジューリングの場合、ｅＮＢ２００は、アンライセンスドバンド（ＵＥ１００のＳＣｅｌｌ）を用いて停止情報をＵＥ１００に送信する。具体的には、ｅＮＢ２００は、初期信号、ＰＤＣＣＨ、又はＰＨＩＣＨによりＤＲＳ情報をＵＥ１００に送信する。ＰＤＣＣＨに代えて、ｅＰＤＣＣＨを用いてもよい。初期信号を用いる場合、初期信号の信号系列又はリソース配置パターンを用いて停止情報を暗示的に送信してもよい。
【０１４３】
クロスキャリアスケジューリングの場合、ｅＮＢ２００は、ライセンスドバンド（ＵＥ１００のＰＣｅｌｌ）を用いて停止情報をＵＥ１００に送信する。具体的には、ｅＮＢ２００は、ＰＤＣＣＨ又はｅＰＤＣＣＨにより停止情報をＵＥ１００に送信する。
【０１４４】
バースト信号の受信対象のＵＥ１００は、停止情報に基づいてＢｌａｎｋ期間を把握し、Ｂｌａｎｋ期間を避けながらバースト信号の受信及び復号を行う。
【０１４５】
［その他の実施形態］
上述した実施形態において、ＤＲＳ及びバースト信号（ＰＤＳＣＨ）の送信開始タイミングが同時のケース（ケース１）、バースト送信中のＰＤＳＣＨの配置位置（バースト信号送信期間）内にＤＲＳが含まれるケース（ケース２）を説明した。しかしながら、バースト信号内に含まれる初期信号及び／又はＰＤＣＣＨが、ＤＲＳと同一のリソースに配置される場合、バースト信号及びＤＲＳを同時に送信できない可能性がある。そのため、ｅＮＢ２００は、バースト信号内に含まれる初期信号及び／又はＰＤＣＣＨを、ＤＲＳと重なり合わないように配置するべきである。また、連続送信を可能とするため、ｅＮＢ２００は、ＤＲＳ送信終了タイミングとバースト送信開始タイミングとを一致させることが好ましい。そうすることにより、ＤＲＳ送信とバースト信号送信との間に空き時間が存在せず、無線リソースを無駄なく使用可能である。また、ＤＲＳが同一サブフレーム内に複数回マッピングされる場合も、上記と同様に、ｅＮＢ２００は、初期信号及び／又はＰＤＣＣＨがＤＲＳと重ならないように配置することが好ましい。ＬＢＴの結果に応じてこれら複数のＤＲＳ送信候補のうちの１つで送信されるようなデザインの場合、ｅＮＢ２００は、バースト信号内に含まれる初期信号及び／又はＰＤＣＣＨを、１サブフレーム中の複数のＤＲＳ送信候補のうち少なくとも１つと重複しないように配置することが好ましい。
【０１４６】
初期信号の後にＤＲＳが送信される場合には、必ずしも初期信号とＤＲＳが連続して配置される必要はない。但し、初期信号の後には連続してＰＤＣＣＨが配置されることを想定すると、ＤＲＳとＰＤＣＣＨが重複しないためには以下の２つの選択肢があり得る。
【０１４７】
1) 初期信号直後にＤＲＳを送信するようデータバースト送信開始可能位置とＤＲＳデザインを設計する。通常、ＰＤＣＣＨは初期信号の直後に配置されるが、ＤＲＳとの多重化（multiplexing）が行われた場合には、ＤＲＳの直後に送信されるよう調整される。
【０１４８】
2) ＰＤＣＣＨ後にＤＲＳが送信されるようデータバースト送信開始可能位置とＤＲＳデザインを設計する。既存仕様が流用された場合にはＰＤＣＣＨシンボル数は可変となるため、ＰＤＣＣＨ直後にＤＲＳが送信されるよう設計することは難しい。よって、ＰＤＣＣＨ最大シンボル数を取った場合でもＤＲＳとＰＤＣＣＨが重複しないように、最低でもＰＤＣＣＨ最大シンボル数に対応するシンボルの直後にＤＲＳが送信されるようデータバースト送信開始可能位置とＤＲＳデザインを設計する。
【０１４９】
上述した実施形態において、特定周波数帯がアンライセンスドバンドである一例を説明した。しかしながら、特定周波数帯は、特定周波数帯を用いて無線信号を送信する前に特定周波数帯が空きであるか否かの判定処理を行うよう義務付けられた周波数帯であればよい。例えば、特定周波数帯は、免許が必要な周波数帯（ライセンスドバンド）であって複数のオペレータ及び／又は複数の通信システムが共用する周波数帯であってもよい。
【０１５０】
上述した実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０１５１】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１５２】
［付記］
（１．序論）
多重化ＰＤＳＣＨおよびＤＲＳ設計に関して次の作業仮説を合意した。本付記において、ＤＲＳ設計を考慮に入れてＰＤＳＣＨおよびＤＲＳを多重化することについての見解を提供する。
【０１５３】
作業仮説：
・アンライセンスドキャリアにおいて、ＤＲＳおよびＰＤＳＣＨは、少なくともサブフレーム０および５で、サブフレーム内で多重化および送信することができ、ここでＰＤＳＣＨ送信は、ＰＤＳＣＨのために定義されたＣａｔ４  ＬＢＴ方式に従う。
【０１５４】
−どのように同じサブフレームでＤＲＳおよびＰＤＳＣＨを多重化するべきかという検討事項がある。
【０１５５】
−サブフレーム０または５がＤＲＳ時機の一部でない場合、ＰＤＳＣＨおよびＤＲＳが同じサブフレームで多重化され得るかという検討事項がある。
【０１５６】
合意事項：
・ＬＢＴを条件として、設定されたＤＭＴＣ内の異なる時間位置の１つでＰＤＳＣＨの無いＤＲＳを送信することを可能にし、ここでＤＭＴＣタイミングはＰセルタイミングに関連している。この場合：
−ＤＲＳにおける信号の持続時間（潜在的な初期信号を含まない）は１ｍｓより小さい（単一のアイドル状態検知間隔がＤＲＳの送信の前にＬＢＴ手順のために使用される）。
【０１５７】
・検討事項：持続時間が１ｍｓより小さいときＤＲＳ時機の持続時間
・検討事項：ＤＲＳにおける信号の持続時間が１ｍｓ以上である場合
【０１５８】
−＃０および＃５以外のサブフレームでＤＲＳ送信を可能にする。
【０１５９】
−サブフレームにおけるＤＲＳの位置は、ＤＭＴＣにおけるすべての候補サブフレームに対して同じである。
【０１６０】
−次の選択肢は、ＤＲＳを有するサブフレームにおけるＳＳＳ／ＲＳに対するシーケンス生成のために考慮され得る。
【０１６１】
・選択肢１：ＤＲＳのサブフレームインデックスに従ってＳＳＳ／ＲＳシーケンスを生成する。
【０１６２】
・選択肢２：ＤＲＳのサブフレームインデックスにかかわらずＳＳＳ／ＲＳシーケンスを生成する。
【０１６３】
・検討事項：他の選択肢
【０１６４】
（２．ＰＤＳＣＨおよびＤＲＳを多重化すること）
ＰＤＳＣＨおよびＤＲＳは少なくともサブフレーム０および５においてサブフレーム内で多重化および送信され得るという作業仮説を合意した。しかしながら、サブフレーム０および５以外のサブフレームをサポートするべきかどうかは検討事項である。本付記において、上の項目に関して見解を提案する。
【０１６５】
考慮するのは、２つの次のケースがある：
ケース１．ＤＲＳ送信タイミングはＤＬ送信バースト内に位置する（図１）
ケース２．ＰＤＳＣＨに対するバックオフカウンタは、ＤＲＳ  ＬＢＴが終わるのと同時に終了する（図２）
【０１６６】
ケース１は、ＤＲＳ送信がＤＬ送信バーストの持続時間内に位置することを示す。この場合、ＤＲＳはＤＬ送信バーストの一部として送信されるから、ｅＮＢはＤＲＳのためにＬＢＴを遂行する必要がない。ＤＲＳ送信は、ＲＲＭ測定および同期要件を満たすために必要とされる。したがって、ＰＤＳＣＨおよびＤＲＳをＤＬ送信バースト内に多重化することは非常に有益である。しかしながら、ＰＤＳＣＨおよびＤＲＳをサブフレーム０および５以外のサブフレームで多重化することが同様に適用される場合、ＵＥはこれを前もって知らないので、ＵＥは常に、２つの異なるフォーマット（すなわち、ＤＲＳ有／無）を盲目的にデコードしなければならない。毎回２つのタイプをデコードすることは計算上集中的である。他方、ＤＬ開始タイミングの指標として使用される初期信号またはＰＤＣＣＨが送信バーストの間に各々のサブフレームに位置する場合、ＤＲＳと初期信号／ＰＤＣＣＨとの間のオーバーラップが起こり得る。ＤＲＳおよび初期信号／ＰＤＣＣＨがオーバーラップする場合、ｅＮＢはデータ送信を維持するためにＤＲＳを送信することができない。したがって、ＲＡＮ１は、どのようにＤＲＳおよび初期信号／ＰＤＣＣＨ送信が送信バーストの間に多重化されなければならないか、考慮する必要がある。
【０１６７】
提案１：サブフレーム０および５でＰＤＳＣＨおよびＤＲＳを多重化することは、ＲＲＭ測定および同期要件を満たすためにサポートされるべきである。
【０１６８】
提案２：サブフレーム０および５以外のサブフレームは、ＵＥに対する高い計算負荷のためにサポートされるべきでない。
【０１６９】
提案３：ＲＡＮ１は、どのようにＤＲＳおよび初期信号／ＰＤＣＣＨ送信が送信バーストの間に多重化されなければならないか、考慮する必要がある。
【０１７０】
ケース２は、両方のＣＣＡメカニズムがその時点で起こるときＰＤＳＣＨとＤＲＳとの間の衝突を示す。ＤＲＳ  ＬＢＴおよびＰＤＳＣＨ  ＬＢＴプロセスは独立しており、ＤＲＳ  ＬＢＴ方法（すなわち、ＦＢＥまたはＬＢＥ）およびＤＲＳ送信方法（すなわち、選択肢１または選択肢２）にかかわらず、衝突が起こり得る。開始タイミングでＰＤＳＣＨおよびＤＲＳを多重化することが可能である場合、ｅＮＢは、ＰＤＳＣＨおよびＤＲＳの両方に対してより多くの送信機会を有する。最も単純な解決策の１つは、初期信号がＤＬデータ送信の検出のために導入される場合、ＤＲＳおよびＰＤＳＣＨに対する初期信号の両方に同じ物理設計を適用することである。これは、ＤＲＳおよびデータ送信が同時に開始する場合、初期信号の送信を可能にしない。しかしながら、初期信号は、ＤＬ送信バーストに該当する若干の情報を含み得る。したがって、ＤＲＳおよび初期信号が同じ物理設計を有する場合、この実施態様を考慮し得る。
【０１７１】
提案４：ＲＡＮ１は、初期信号設計の一部がＤＲＳと同じ物理設計を有することを考慮するべきである。
【０１７２】
他方、ＤＲＳおよび初期信号が異なる物理設計を有するまたは初期信号が導入されない場合、ＰＤＳＣＨおよびＤＲＳを多重化するために異なる方法を考慮するべきである。単一のＤＲＳ時機に基づくＲＲＭ測定を考慮して、ＤＲＳは、Ｒｅｌ．１２と比較してＯＦＤＭシンボル毎により高密度のＣＲＳを必要とするであろう。したがって、同じＯＦＤＭシンボルでＤＲＳおよび初期信号または（Ｅ）ＰＤＣＣＨ／ＰＤＳＣＨを多重化することは難しい。一方、ＤＲＳおよびＤＬ送信バーストが図３に示すように連続的に送信される場合、時間領域でＤＲＳおよびＤＬ送信バーストを多重化することが可能である。この場合、ＬＢＴ方法の両方がすでに終了しているから、連続的にそれらを送信することに問題はない、しかしながら、最大送信バースト長はＤＲＳの持続時間を含む。ＵＥ複雑性および仕様影響を下げるためサブフレームにおける送信時間を制限する提案はあります。ＯＦＤＭシンボルの開始時間が制限される場合、ＤＬ送信バーストの開始時間をＤＲＳ送信の終了直後に位置するとみなすべきである。しかしながら、ＤＲＳとＤＬ送信バーストとの間に空白があるとき、ｅＮＢは空白内に予約信号を送信することが可能であるべきである。これらの信号持続時間がオーバーラップしない限り、連続的にＤＲＳおよびＤＬ送信バーストを送信することが可能である。ＤＲＳおよび初期信号持続時間がオーバーラップする場合、ｅＮＢはＤＲＳまたは初期信号のどちらか一方だけを送信できる。したがって、ＲＡＮ１は、両方が連続的に送信されるときＤＲＳおよびＤＬ送信バーストタイミングを考慮するべきである。
【０１７３】
提案５：  ＲＡＮ１は、ＰＤＳＣＨおよびＤＲＳ  ＣＣＡメカニズムの両方が同時に終了する場合のために、ＤＲＳの終了直後に位置するＤＬ送信バーストの開始時間をサポートするべきである。
【０１７４】
［相互参照］
米国仮出願第６２／２３２８６２号（２０１５年９月２５日出願）の全内容が参照により本願明細書に組み込まれている。
【産業上の利用可能性】
【０１７５】
本発明は、通信分野において有用である。
【図１】
2017051858.tif 000003
【図２】
2017051858.tif 000004
【図３】
2017051858.tif 000005
【図４】
2017051858.tif 000006
【図５】
2017051858.tif 000007
【図６】
2017051858.tif 000008
【図７】
2017051858.tif 000009
【図８】
2017051858.tif 000010
【図９】
2017051858.tif 000011
【図１０】
2017051858.tif 000012
【図１１】
2017051858.tif 000013
【図１２】
2017051858.tif 000014
【図１３】
2017051858.tif 000015
【図１４】
2017051858.tif 000016
【図１５】
2017051858.tif 000017
【図１６】
2017051858.tif 000018
【図１７】
2017051858.tif 000019
【図１８】
2017051858.tif 000020
【図１９】
2017051858.tif 000021
【国際調査報告】
2017051858.tif 000022
2017051858.tif 000023
2017051858.tif 000024
2017051858.tif 000025
2017051858.tif 000026
2017051858.tif 000027
2017051858.tif 000028
2017051858.tif 000029